(57)【要約】【課題】  使用する周波数帯域が高域へ拡張されても電磁波の外部への漏洩を防止する。【解決手段】  シャーシ１０と第１上仕切り板１５とで形成される仕切られた空間の開口を上内蓋１３で閉塞する。上内蓋１３は弾性材から形成され、平面状とされた平面部１３ａと、上内蓋１３の平面部１３ａの縁部から鈍角で立設する側部１３ｂとを有し、側部１３ｂがシャーシ１０の内壁と第１上仕切り板１５の内壁とに弾性的に接触する。下内蓋１４は弾性材から形成され、平面状とされた平面部１４ａと、下内蓋１４の平面部１４ａの縁部から鈍角で立設する側部１４ｂとを有し、側部１４ｂがシャーシ１０の内壁と第１下仕切り板１７の内壁とに弾性的に接触する。次いで、シャーシ１０の開口が上外蓋１１および下外蓋１２で閉塞される。これにより、使用する周波数帯域が高域へ拡張されても電磁波の外部への漏洩を防止することができる。【選択図】  図５
2018107163.tif 000002
【特許請求の範囲】
【請求項１】
上面および下面が開口された所定高さの矩形の枠からなる導電性のシャーシと、
該シャーシの内部を仕切る導電性の仕切り板と、
前記シャーシと前記仕切り板とで形成される仕切られた空間の開口を閉塞するよう開口の内壁面に密着して挿入される導電性の内蓋と、
前記シャーシの開口を閉塞するよう前記シャーシに嵌合される外蓋とを備え、
前記外蓋は、前記内蓋が前記仕切られた空間に挿入された状態において、前記シャーシの開口を閉塞するよう前記シャーシに嵌合されることを特徴とする電子機器ケース。
【請求項２】
前記内蓋は弾性材から形成され、平面状とされた内蓋の平面部と、該内蓋の平面部の縁部から鈍角で立設する内蓋の側部と、該内蓋の側部の上端に形成されたストッパーとを有し、前記シャーシと前記仕切り板とで形成される仕切られた空間の開口に挿入された際に、前記内蓋の側部が前記シャーシの内壁と前記仕切り板の内壁とに弾性的に接触して密着すると共に、前記ストッパーが前記シャーシの枠の先端面に対面することを特徴とする請求項１に記載の電子機器ケース。
【請求項３】
前記シャーシの枠における外壁において、横方向に細長い外側へ突出する突条が形成されており、
前記外蓋は、平面状とされた外蓋の平面部と、該外蓋の平面部の縁部から立設されて形成された外蓋の側部とを有し、
前記外蓋が前記シャーシに嵌合された際に、前記突条を乗り越えて係合する係合突条が前記外蓋の側部に形成されていることを特徴とする請求項１または２に記載の電子機器ケース。
【請求項４】
前記シャーシ内に収納されている部品の導電性の外郭に、前記内蓋の平面部が密着することにより、前記外郭が前記シャーシにアースされることを特徴とする請求項１ないし３のいずれかに記載の電子機器ケース。
【請求項５】
前記部品はスイッチとされ、スイッチを切り替えるノブが前記外郭から突出して設けられており、前記内蓋の平面部および前記外蓋の平面部に、前記ノブを操作可能に突出させる孔部が形成されていることを特徴とする請求項４に記載の電子機器ケース。
【請求項６】
前記内蓋が前記仕切られた空間に挿入された状態において、前記外蓋が、前記シャーシの開口を閉塞するよう前記シャーシに嵌合された際に、前記内蓋の平面部が前記部品側へ弓なりに撓むことにより、前記部品の外郭に、前記内蓋の平面部が密着されてアースされることを特徴とする請求項４または請求項５に記載の電子機器ケース。
【発明の詳細な説明】
【技術分野】
【０００１】
本発明は、入力端子と出力端子とを備え、内部に高周波回路が収納されている電子機器ケースに関する。
【背景技術】
【０００２】
近年のテレビ放送では、地上波放送は完全デジタル化となり、従来行われていたＶＨＦ帯域の放送はＵＨＦ帯域に移行し、ＶＨＦ帯域ではモバイル端末向けの新しいサービスなどが行われたり、他の通信サービスに利用されている。また衛星放送も従来の映像より高精度の映像を配信する新たなサービスである４Ｋ・８Ｋ放送が予定されている。４Ｋ・８Ｋ放送の内の４Ｋ放送は、現行のフルハイビジョンの解像度を２倍として横のピクセル数を３８４０（約４Ｋ）ピクセルとしたテレビ放送であり、４Ｋ・８Ｋ放送の内の８Ｋ放送は、現行のフルハイビジョンの解像度を４倍として横のピクセル数を７６８０（約８Ｋ）ピクセルとしたテレビ放送である。
衛星放送の概略構成を図２０に示す。図２０に示すように、衛星放送は放送局２１０から放送衛星２１１に放送信号を送信し、放送衛星２１１から１１〜１２ＧＨｚ帯の電波を用いて受信者宅に放送信号が送信される。受信者宅では１１〜１２ＧＨｚ帯の放送信号の電波をパラボラアンテナ２１２にて受信し、パラボラアンテナ２１２に備えられているＬＮＢ（ローノイズブロックコンバータ）で１〜３ＧＨｚ帯域のＩＦ周波数に放送信号を変換し、同軸ケーブルによってブースター２１３、分配器２１４および壁面端子２１５を介してチューナー２１６とモニター２１７からなる受信機に伝送することにより放送信号を視聴するようにしている。
【０００３】
４Ｋ・８Ｋ放送はＢＳ放送と１１０度ＣＳ放送の右旋および左旋の両偏波を利用して行われ、４Ｋ・８Ｋ放送用のＬＮＢによって右旋、左旋の電波が重ならないようにＩＦ周波数が周波数軸上に並べられ、１本の同軸ケーブルで受信機へ伝送されるようになっている。従来のＢＳ・ＣＳ放送の実際の使用帯域は、右旋偏波の電波のみであったため、上限が２０７１ＭＨｚであった。新たに４Ｋ・８Ｋ放送を視聴するには上限が３２２４ＭＨｚまで拡張された周波数帯域が必要となり、４Ｋ・８Ｋ放送のためのＢＳ・ＣＳ放送のＩＦ周波数を周波軸上に並べると図２１に示すように１０３２ＭＨｚ〜３２２４ＭＨｚまでの伝送帯域が必要になる。このため、１０３２ＭＨｚ〜３２２４ＭＨｚまでの伝送に対応したパラボラアンテナ２１２，ブースター２１３，分配器２１４，壁面端子２１５などの受信機器、伝送機器が必要となる。拡張された周波数帯域においては、従来よりその帯域の電波を使用して行われているサービスやシステムがある。例えば、電波天文（２６９０〜２７００ＭＨｚ）や無線ＬＡＮ（２４００〜２４９７ＭＨｚ）があり、これらのサービスやシステムに４Ｋ・８Ｋのテレビ放送の受信電波が漏れて、混信、妨害などの影響を与えないようにすることが考慮される。
【０００４】
高周波を取り扱う電子機器のケースは、内部から電磁波が漏出して外部へ影響を与えないと共に、外部からの電磁波の影響を受けないようにシールド構造の電子機器ケースとしている。
特許文献１に従来のシールド構造の電子機器ケースが開示されている。この電子機器ケースは、上方の開口部において開口し、略矩形形状に形成された底面部の全領域にわたり収容物が載置可能な収容部と、上記収容部の上記開口部の外周縁部全周にわたって配設される介在部材と、上記介在部材に当接して上記収容部の上記開口部を被覆する第１の蓋と、上記第１の蓋を上記収容部の上記開口部側に向かって付勢するようにして上記収容部に固定的に配設される第２の蓋とを有する構造とされている。
この構造の電子機器ケースは、シールド構造とされているものの、収容部はリング状の溝部と、溝部内に収容される介在部材からなると共に、第１の蓋と、第２の蓋とが必要とされていることから、部品点数が多くなると共に、簡易な構成とはなっていなかった。
【０００５】
そこで、従来提案されている簡易な構成の電子機器ケース３００の構成を図２２および図２３に示す。図２２は、従来の電子機器ケース３００の構成を示す平面図であり、図２３は従来の電子機器ケース３００の構成を示す分解斜視図である。
これらの図に示す電子機器ケース３００は、上面および下面が開口された所定高さの矩形の枠からなるシャーシ３１０と、シャーシ３１０の上面を閉塞するよう上部に嵌合される上外蓋３１１と、シャーシ３１０の下面を閉塞するように下部に嵌合される下外蓋３１２とから構成されている。シャーシ３１０，上外蓋３１１，下外蓋３１２は金属板を加工して作成されている。
【０００６】
シャーシ３１０は、矩形の枠になるよう金属板を折曲して前後左右の四方向に立設された側部３１０ｂにより構成され、内部の収納空間のほぼ中央にプリント基板３２１が収納されている。シャーシ３１０の正面の側部３１０ｂには、入力端子、出力端子、モニター端子等として使用する４つの同軸端子３２０が固着されている。４つの同軸端子３２０の内の入力端子側の回路と出力端子側との回路とが電磁気的に結合しないよう上仕切り板３１５がプリント基板３２１の上面に設けられている。上仕切り板３１５は金属板を加工して作成され、上仕切り板３１５はほぼ直角にくの字状に屈曲されている。シャーシ３１０の側部３１０ｂにおいて、上部に横方向に細長い矩形状の係合孔３１０ｃが四方向の側部３１０ｂに複数ずつ横方向に並べられて形成されていると共に、下部に同形状とされた横方向に細長い矩形状の係合孔３１０ｄが四方向の側部３１０ｂに複数ずつ横方向に並べられて形成されている。
【０００７】
上外蓋３１１は、弾性を有する金属板を加工して作成されており、矩形の平面部３１１ａの４縁が下方へほぼ直角に屈曲されて、それぞれの縁部に側部３１１ｂが形成されている。各側部３１１ｂの先端部には、横長の矩形状とされた係合片３１１ｃが形成されている。係合片３１１ｃの先端部は屈曲されており、内側に向けてくの字状に突出している。
また、下外蓋３１２は、上外蓋３１１と同様に弾性を有する金属板を加工して作成されており、矩形の平面部３１２ａの４縁が上方へほぼ直角に屈曲されて、それぞれの縁部に側部３１２ｂが形成されている。各側部３１２ｂの先端部には、横長の矩形状とされた係合片３１２ｃが形成されている。係合片３１２ｃの先端部は屈曲されており、内側に向けてくの字状に突出している。
【０００８】
シャーシ３１０の収納空間には、高周波を扱うプリント基板３２１が収納され、上仕切り板３１５で仕切られたプリント基板３２１には漏出すると周囲に影響を与える周波数帯の高周波を扱う回路が組み込まれている。シャーシ３１０の収納空間に、プリント基板３２１が収納されて所定の配線が施されると、シャーシ３１０の上面の開口を閉塞するように、上外蓋３１１をシャーシ３１０の上から嵌合する。嵌合した際には、上外蓋３１１の４縁の側部３１１ｂに形成されている複数の各係合片３１１ｃにおけるくの字状に突出している部位が、シャーシ３１０の４方向の側部３１０ｂの上部に形成されている係合孔３１０ｃにそれぞれ係合する。また、シャーシ３１０の下面の開口を閉塞するように、下外蓋３１２をシャーシ３１０の下から嵌合する。嵌合した際には、上外蓋３１１の４縁の側部３１１ｂに形成されている複数の各係合片３１２ｃにおけるくの字状に突出している部位が、シャーシ３１０の４方の側部３１０ｂの下部に形成されている係合孔３１０ｄにそれぞれ係合する。
【先行技術文献】
【特許文献】
【０００９】
【特許文献１】特開２００６−１０８２５７号公報
【発明の概要】
【発明が解決しようとする課題】
【００１０】
図２２，図２３に示す電子機器ケース３００は、側面を板金で形成したシャーシ３１０を必要に応じて回路ブロックごとに仕切る上仕切り板３１５等を設けて、回路ブロック間で互いに影響を与えないようにしている。さらに、伝送する電波が漏れないよう、また周波数特性を安定させるべくシャーシ３１０の上面と下面に、開口を閉塞する上外蓋３１１と下外蓋３１２を嵌合する構造としている。
しかしながら、この構成の電子機器ケース３００では、シャーシ３１０のゆがみや、側部３１０ｂの高さのわずかな違いが生じた場合などの寸法のばらつき、組み立てのばらつきによって上外蓋３１１および下外蓋３１２と側部３１０ｂおよび上仕切り板３１５との間に隙間が生じやすい。例えば、上外蓋３１１をシャーシ３１０の上面に嵌合した状態においては、図２４の断面図で示す一部拡大して示す側面図のようにシャーシ３１０の上端面が上外蓋３１１の平面部３１１ａの内面に接触すると共に、上仕切り板３１５の上端面が上外蓋３１１の平面部３１１ａの内面に接触するのが正常である。しかしながら、シャーシ３１０および上外蓋３１１の寸法のばらつきや組み立て時のばらつきによって、図２５の断面図で示す一部拡大して示す側面図のようにシャーシ３１０の上端面と上外蓋３１１の平面部３１１ａの内面との間に間隙δ１が生じると共に、上仕切り板３１５の上端面と上外蓋３１１の平面部３１１ａの内面との間に間隙δ２が生じることがある。上記間隙δ１，δ２が生じている場合に、従来の電子機器ケース３００を４Ｋ・８Ｋのテレビ放送の受信電波に対応させると、従来のサービスで使用していた周波数より高い周波数を伝送することになり、高い周波数ほど上記間隙δ１，δ２から外部に電波がもれてしまうおそれがある。
【００１１】
そこで、従来の電子機器ケース３００において、図２４に示す正常な状態における漏洩電界強度の周波数特性を図２６に示し、図２５に示す間隙δ１，δ２が生じている場合の漏洩電界強度の周波数特性を図２７に示す。なお、電波が電子機器から漏れる量の規格として、放送の分野では放送法の技術基準に定められた不要放射が３４ｄＢμＶ／ｍ以下という規格値がある。この規格は有線テレビジョン放送の規格値であり、現在ＢＳ・ＣＳ帯域における規格値は特に制定されていない。しかし、外部の空間に無線サービスが存在している環境で、同じ帯域の周波数を同軸ケーブルで伝送するという点では同様と考えられるから、同じ不要放射の規格である３４ｄＢμＶ／ｍを規定値として示している。
図２６および図２７に示す漏洩電界強度の周波数特性は、１０００ＭＨｚ〜３２５０ＭＨｚの周波数帯域の信号を伝送した時の電波の漏れを測定したものであり、規定値が一点鎖線で示され、水平偏波における電界強度が実線で、垂直偏波における電界強度が一点鎖線で示されている。図２６を参照すると、３０００ＭＨｚ以上の高域においては垂直偏波および水平偏波において規定値を超えてしまうことが分かる。また、図２７を参照すると、垂直偏波では約２９００ＭＨｚ以上の高域において規定値を超えてしまい約３１００ＭＨｚにおいては約４８ｄＢμＶ／ｍにも漏洩電界強度が達するようになり、水平偏波では約３０００ＭＨｚ以上の高域において規定値を超えてしまい約３１５０ＭＨｚにおいては約４１ｄＢμＶ／ｍにも漏洩電界強度が達するようになることが分かる。
このように、従来の電子機器ケース３００においては、３０００ＭＨｚ以上の高い周波数帯域において漏れる量が増えるようになり、さらに、寸法のばらつきや組み立てのばらつきがある場合は、漏れる量がより増えることが分かる。
【００１２】
そこで、本発明は、電子機器ケースにおいて、使用する周波数帯域が高域へ拡張されても電磁波の外部への漏洩を防止することができる電子機器ケースを提供することを目的としている。
【課題を解決するための手段】
【００１３】
本発明の電子機器ケースは、上面および下面が開口された所定高さの矩形の枠からなる導電性のシャーシと、該シャーシの内部を仕切る導電性の仕切り板と、前記シャーシと前記仕切り板とで形成される仕切られた空間の開口を閉塞するよう開口の内壁面に密着して挿入される導電性の内蓋と、前記シャーシの開口を閉塞するよう前記シャーシに嵌合される外蓋とを備え、前記外蓋は、前記内蓋が前記仕切られた空間に挿入された状態において、前記シャーシの開口を閉塞するよう前記シャーシに嵌合されることを最も主要な特徴としている。
【００１４】
また、本発明の電子機器ケースにおいて、前記内蓋は弾性材から形成され、平面状とされた内蓋の平面部と、該内蓋の平面部の縁部から鈍角で立設する内蓋の側部と、該内蓋の側部の上端に形成されたストッパーとを有し、前記シャーシと前記仕切り板とで形成される仕切られた空間の開口に挿入された際に、前記内蓋の側部が前記シャーシの内壁と前記仕切り板の内壁とに弾性的に接触して密着すると共に、前記ストッパーが前記シャーシの枠の先端面に対面するようにしてもよい。
さらに、本発明の電子機器ケースにおいて、前記シャーシの枠における外壁において、横方向に細長い外側へ突出する突条が形成されており、前記外蓋は、平面状とされた外蓋の平面部と、該外蓋の平面部の縁部から立設されて形成された外蓋の側部とを有し、前記外蓋が前記シャーシに嵌合された際に、前記突条を乗り越えて係合する係合突条が前記外蓋の側部に形成されていてもよい。
さらに、本発明の電子機器ケースにおいて、前記シャーシ内に収納されている部品の導電性の外郭に、前記内蓋の平面部が密着することにより、前記外郭が前記シャーシにアースされてもよい。
さらに、本発明の電子機器ケースにおいて、前記部品はスイッチとされ、スイッチを切り替えるノブが前記外郭から突出して設けられており、前記内蓋の平面部および前記外蓋の平面部に、前記ノブを操作可能に突出させる孔部が形成されていてもよい。
さらに、本発明の電子機器ケースにおいて、前記内蓋が前記仕切られた空間に挿入された状態において、前記外蓋が、前記シャーシの開口を閉塞するよう前記シャーシに嵌合された際に、前記内蓋の平面部が前記部品側へ弓なりに撓むことにより、前記部品の外郭に、前記内蓋の平面部が密着されてアースされてもよい。
【発明の効果】
【００１５】
本発明によれば、シャーシと仕切り板とで形成される仕切られた空間の開口を閉塞するよう開口に挿入される導電性の内蓋と、シャーシの開口を閉塞するよう前記シャーシに嵌合される外蓋とを備え、外蓋は、内蓋が仕切られた空間に挿入された状態において、シャーシの開口を閉塞するようシャーシに嵌合されることから、使用する周波数帯域が高域へ拡張されても電磁波の外部への漏洩を防止することができる。
また、内蓋を弾性材から形成し、平面状とされた内蓋の平面部と、該内蓋の平面部の縁部から鈍角で立設する内蓋の側部とを有し、内蓋の側部がシャーシの内壁と仕切り板の内壁とに弾性的に接触させて、電磁波の外部への漏洩を防止するようにしてもよい。
さらに、外蓋がシャーシの開口を閉塞するよう前記シャーシに嵌合された際に、内蓋の平面部が部品側へ弓なりに撓むことにより、部品の外郭が内蓋の平面部を介してアースさせて、電磁波の外部への漏洩を防止するようにしてもよい。
【図面の簡単な説明】
【００１６】
【図１】本発明の第１実施例にかかる電子機器ケースの構成を示す平面図である。
【図２】本発明の第１実施例にかかる電子機器ケースの構成を断面図で示す側面図である。
【図３】本発明の第１実施例にかかる電子機器ケースの構成を示す下面図である。
【図４】本発明の第１実施例にかかる電子機器ケースの構成を示す正面図である。
【図５】本発明の第１実施例にかかる電子機器ケースの構成を斜視図で示す分解図である。
【図６】本発明の第１実施例にかかる電子機器ケースの構成を斜視図で示す組立図である。
【図７】本発明の第１実施例にかかる電子機器ケースにおける上内蓋の構成を示す斜視図、正面図である。
【図８】本発明の第１実施例にかかる電子機器ケースにおいて外蓋を取り付けていない状態の一部を拡大して断面図で示す側面図である。
【図９】本発明の第１実施例にかかる電子機器ケースにおいて外蓋を取り付けた状態の一部を拡大して断面図で示す側面図である。
【図１０】本発明の第１実施例にかかる電子機器ケースにおいて内蓋が浮いていない状態の漏洩電界強度の周波数帯域を示す図である。
【図１１】本発明の第１実施例にかかる電子機器ケースにおいて内蓋が浮いている状態の漏洩電界強度の周波数帯域を示す図である。
【図１２】本発明の第２実施例にかかる電子機器ケースの構成を示す平面図である。
【図１３】本発明の第２実施例にかかる電子機器ケースの構成を断面図で示す側面図である。
【図１４】本発明の第２実施例にかかる電子機器ケースの構成を斜視図で示す組立図である。
【図１５】本発明の第２実施例にかかる電子機器ケースにおける上内蓋の構成を示す斜視図である。
【図１６】本発明の第２実施例にかかる電子機器ケースにおけるゲインの周波数特性を示す図である。
【図１７】本発明の第２実施例にかかる電子機器ケースにおけるゲインの他の周波数特性を示す図である。
【図１８】本発明の第２実施例にかかる電子機器ケースにおいて内蓋を取り付けた状態を示す平面図である。
【図１９】本発明の第２実施例にかかる電子機器ケースの構成を断面図で示す側面図、一部拡大図である。
【図２０】衛星放送の概略構成を示す図である。
【図２１】４Ｋ・８Ｋ放送のためのＢＳ・ＣＳ放送のＩＦ周波数を周波軸上で示す図である。
【図２２】従来の電子機器ケースの構成を示す平面図である。
【図２３】従来の電子機器ケースの構成を斜視図で示す分解図である。
【図２４】従来の電子機器ケースにおいて一部を拡大して断面図で示す側面図である。
【図２５】従来の電子機器ケースにおいて一部を拡大して断面図で示す他の側面図である。
【図２６】従来の電子機器ケースにおける漏洩電界強度の周波数帯域を示す図である。
【図２７】従来の電子機器ケースにおける漏洩電界強度の他の周波数帯域を示す図である。
【発明を実施するための形態】
【００１７】
本発明の第１実施例にかかる電子機器ケース１の構成を図１ないし図６に示す。図１は本発明の第１実施例にかかる電子機器ケース１の構成を示す平面図であり、図２は電子機器ケース１の構成をＡ−Ａ線で切断したＡ−Ａ断面図で示す側面図であり、図３は電子機器ケース１の構成を示す下面図であり、図４は電子機器ケース１の構成を示す正面図であり、図５は電子機器ケース１の構成を斜視図で示す分解図であり、図６は電子機器ケース１の構成を斜視図で示す組立図である。
これらの図に示す本発明の第１実施例にかかる電子機器ケース１はブースターに適用可能な電子機器ケース１であり、上面および下面が開口された所定高さの矩形の枠からなるシャーシ１０と、シャーシ１０の上面を閉塞するよう上部に嵌合される上外蓋１１と、シャーシ１０の下面を閉塞するように下部に嵌合される下外蓋１２とを備えている。さらに、電子機器ケース１内を回路ブロック毎に仕切るよう設けられている第１上仕切り板１５の開口されている上面を閉塞するよう上部から挿入される上内蓋１３と、同様にシャーシ１０内を回路ブロック毎に仕切るよう設けられている第１下仕切り板１７の開口されている下面を閉塞するよう下部から挿入される下内蓋１４とを備えている。第１実施例にかかる電子機器ケース１を構成している各部は、金属板を加工して作成されている。
【００１８】
シャーシ１０は、矩形の枠になるよう金属板を折曲して前後左右の四方向に立設された４つの側部１０ｂにより構成され、内部の収納空間のほぼ中央に、例えばブースターの回路が組まれた矩形のプリント基板２１が収納されて、プリント基板２１のアースはシャーシ１０にアースされている。シャーシ１０の正面の側部１０ｂには、入力端子、出力端子、モニター端子等として使用する４つの同軸端子２０が固着されている。４つの同軸端子２０の内の入力端子側の回路ブロックと出力端子側の回路ブロックとが電磁気的に結合しないように第１上仕切り板１５がプリント基板２１の上面に設けられており、第１上仕切り板１５の上端縁にほぼ直角に折曲されたラグ１５ａが３つ形成されている。ラグ１５ａにはネジ孔が形成されており、ラグ１５ａの先端は半円形とされている。第１上仕切り板１５は金属板を加工して作成され、第１上仕切り板１５はほぼ直角にくの字状に屈曲されており、両端はシャーシ１０のほぼ直交する２つの側部１０ｂに当接されてアースされている。また、プリント基板２１の上面の後部側には第２上仕切り板１６が設けられており、第２上仕切り板１６で囲った部位には電源端子等の回路ブロックが配置されている。第２上仕切り板１６の上端縁にほぼ直角に折曲されたラグ１６ａが２つ形成されている。ラグ１６ａにはラグ１５ａと同様にネジ孔が形成されており、ラグ１６ａの先端は半円形とされている。第２上仕切り板１６は金属板を加工して作成され、第２上仕切り板１６はほぼ直角にくの字状に屈曲されて、シャーシ１０内に立設して配置されており、両端はシャーシ１０のほぼ直交する２つの側部１０ｂに当接されてアースされている。
入力端子側の回路ブロックと出力端子側の回路ブロックとを仕切る第１下仕切り板１７がプリント基板２１の下面に第１上仕切り板１５と対向するよう設けられており、第２下仕切り板１８がプリント基板２１の下面に第２上仕切り板１６と対向するよう設けられている。
【００１９】
シャーシ１０の４つの側部１０ｂのそれぞれにおいて、側部１０ｂの外壁の上部に横幅とほぼ同じ長さとされた横方向に細長い外側へ突出する突条１０ｃがほぼ全体にわたり形成されていると共に、側部１０ｂの外壁の下部に同形状とされた横幅とほぼ同じ長さとされた横方向に細長い外側へ突出する突条１０ｄがほぼ全体にわたり形成されている。
上外蓋１１は、弾性を有する金属板を加工して作成されており、矩形の平面部１１ａの４縁が下方へほぼ直角に屈曲されて、それぞれの縁部に側部１１ｂが立設されて形成された下面が開口された箱形状とされている。各側部１１ｂの先端部には、横幅一杯に渡り係合突条１１ｃが形成されている。係合突条１１ｃはくの字状に屈曲されて形成されており、内側に向けて突出する突条とされている。矩形の平面部１１ａには、取付ネジ３０および取付ネジ３１の挿通孔やプリント基板２１に組まれた回路の特性を調整する調整棒を挿入する穴等が形成されている。
また、下外蓋１２は、上外蓋１１と同様に弾性を有する金属板を加工して作成されており、矩形の平面部１２ａの４縁が上方へほぼ直角に屈曲されて、それぞれの縁部に側部１２ｂが立設されて形成された上面が開口された箱形状とされている。各側部１２ｂの先端部には、横幅一杯に渡り係合突条１２ｃが形成されている。係合突条１２ｃはくの字状に屈曲されて形成されており、内側に向けて突出する突条とされている。矩形の平面部１２ａには、第１下仕切り板１７の下端縁から突出するよう形成されている３つの取付片１０ｄと第２下仕切り板１８の下端縁から突出するよう形成されている２つの取付片１０ｄとが挿通される細長い矩形状の孔部が形成されている。
【００２０】
シャーシ１０の収納空間には、高周波を扱うプリント基板２１が収納され、プリント基板２１上に設けられた第１上仕切り板１５により、入力端子側の回路ブロックと出力端子側の回路ブロックとが仕切られて互いに電磁気的に結合しないようにされている。シャーシ１０の収納空間に、プリント基板２１が収納されて所定の配線が施されると、第１上仕切り板１５とシャーシ１０とで仕切られた収納空間の開口されている上面を閉塞するように上内蓋１３が、第１上仕切り板１５とシャーシ１０とで仕切られた収納空間に上から挿入される。これにより、上内蓋１３の側部１３ｂは第１上仕切り板１５とシャーシ１０との内壁面に密着されて、上内蓋１３はシャーシ１０にアースされ、第１上仕切り板１５とシャーシ１０と上内蓋１３により形成される収納空間はシールド構造となる。
【００２１】
ここで、上内蓋１３の構成について説明する。図７（ａ）は上内蓋１３の構成を示す斜視図であり、図７（ｂ）は上内蓋１３の構成を示す正面図である。
これらの図に示すように、上内蓋１３は弾性を有する金属材料を加工して作成されており、矩形状の平面部１３ａと、平面部１３ａの４つの縁から立設するよう平面部１３ａに対して鈍角で折曲されて形成された４つの側部１３ｂとから構成された箱形状とされている。また、側部１３ｂの上端に、側部１３ｂに対してほぼ直角に外側に折曲された幅の狭いストッパー１３ｃが形成されている。このストッパー１３ｃには、切り欠かれている部位があるが、切り欠かれている部位は第１上仕切り板１５に形成されている３つのラグ１５ａに相当する位置およびシャーシ１０の角部とされ、確実に側部１３ｂを第１上仕切り板１５とシャーシ１０との内壁面に密着して嵌挿できるようにされている。
また、側部１３ｂが折り曲げられている角度は図７（ｂ）に示すように、平面部１３ａに対して直角方向より角度θだけ鈍角とされた角度とされている。これにより、ストッパー１３ｃの面も平面部１３ａに対して角度θだけ傾くようになる。
【００２２】
上記したように、上内蓋１３は箱形状とされて、上内蓋１３の４方向の側部１３ｂは弾性を有しいると共に鈍角に立ち上がっており、第１上仕切り板１５とシャーシ１０とで仕切られた収納空間に挿入した状態を断面図で示す側面図の一部拡大図で図８に示している。上内蓋１３を挿入していくと、図８に示すように、４方向の側部１３ｂが第１上仕切り板１５の２方向の内壁面およびシャーシ１０の２方向の内壁面に密着して接触しながら上内蓋１３が挿入されていく。すなわち、鈍角に立設されている４方向の弾性を有する側部１３ｂにより、第１上仕切り板１５およびシャーシ１０による４方向の内壁に圧力をかけて密着しながら上内蓋１３が第１上仕切り板１５とシャーシ１０とで仕切られた収納空間内に挿入されていくことになる。結果的に、上内蓋１３の４方向の全ての側部１３ｂは、第１上仕切り板１５の内壁面とシャーシ１０の内壁面とに密着されるため、上内蓋１３と第１上仕切り板１５およびシャーシ１０間の隙間をなくすことができる。この場合、弾性を有し鈍角に立ち上がる側部１３ｂの作用により上内蓋１３が若干浮き上がり、シャーシ１０の側部１０ｂの上端面と対面している、上内蓋１３のストッパー１３ｃとの間に間隙が発生していると共に、第１上仕切り板１５の上端面と対面している上内蓋１３のストッパー１３ｃとの間に間隙が発生しているが、挿入された上内蓋１３の側部１３ｂはシャーシ１０の側部１０ｂの内壁面と、第１上仕切り板１５の内壁面とに確実に密着して接触していることが分かる。
【００２３】
また、プリント基板２１の裏面には、入力端子側の回路ブロックと出力端子側の回路ブロックとが仕切られて互いに電磁気的に結合しないように第１下仕切り板１７が設けられている。そして、第１下仕切り板１７とシャーシ１０とで仕切られた収納空間の開口されている下面を閉塞するように下内蓋１４が、第１下仕切り板１７とシャーシ１０とで仕切られた収納空間に下から挿入される。これにより、下内蓋１４の側部１４ｂは第１下仕切り板１７とシャーシ１０との内壁面に密着されて、下内蓋１４はシャーシ１０にアースされ、第１下仕切り板１７とシャーシ１０と下内蓋１４とにより形成される収納空間はシールド構造となる。
【００２４】
図５に示すように下内蓋１４は図７（ａ）（ｂ）に示す上内蓋１３と面対称の構成とされており、矩形状の平面部１４ａと、平面部１４ａの４つの縁から立設するよう平面部１４ａに対して鈍角で折曲されて形成された４つの側部１４ｂとから構成された箱形状とされている。また、側部１４ｂの上端に、側部１４ｂに対してほぼ直角に外側に折曲された幅の狭いストッパー１４ｃが形成されている。この下内蓋１４を、第１下仕切り板１７とシャーシ１０とで仕切られた収納空間に挿入する際に、４方向の弾性を有する側部１４ｂが第１下仕切り板１７の２方向の内壁面およびシャーシ１０の２方向の内壁面に密着して接触しながら挿入されていく。すなわち、鈍角に立設されている４方向の弾性を有する側部１４ｂにより、第１下仕切り板１７およびシャーシ１０による４方向の内壁に圧力をかけて密着しながら下内蓋１４が第１下仕切り板１７とシャーシ１０とで仕切られた収納空間内に挿入されていくことになる。結果的に、下内蓋１４の４方向の全ての側部１４ｂは、第１下仕切り板１７の内壁とシャーシ１０の内壁とに密着されるため、下内蓋１４と第１下仕切り板１７およびシャーシ１０間の隙間をなくすことができる。
【００２５】
上内蓋１３が第１上仕切り板１５とシャーシ１０とで仕切られた収納空間に挿入されると、シャーシ１０の上面の開口を閉塞するように、上外蓋１１をシャーシ１０の上から嵌合する。図６に、シャーシ１０の下から下外蓋１２が嵌合された状態において、シャーシ１０の上から上外蓋１１をシャーシ１０に嵌合する態様を示す。図６に示すように、シャーシ１０の上から上外蓋１１を嵌合していくと、上外蓋１１の４方向の側部１１ｂにそれぞれ形成されているくの字状に内側に突出している係合突条１１ｃが、シャーシ１０の４方向の側部１０ｂの上部に形成されている外側に突出された突条１０ｃを乗り越えてそれぞれ係合する。そして、矩形の平面部１１ａに形成されている挿通孔に取付ネジ３０および取付ネジ３１を挿通して、３本の取付ネジ３０を第１上仕切り板１５のラグ１５ａのネジ穴のそれぞれに螺合すると共に、２本の取付ネジ３１を第２上仕切り板１６のラグ１６ａのネジ穴それぞれに螺合する。これにより、上外蓋１１をシャーシ１０から抜け出ないように固着され、固着されると上外蓋１１はシャーシ１０にアースされる。
【００２６】
また、下内蓋１４が第１下仕切り板１７とシャーシ１０とで仕切られた収納空間に挿入されると、シャーシ１０の下面の開口を閉塞するように、下外蓋１２をシャーシ１０の下から嵌合する。嵌合した際には、下外蓋１２の４方向の側部１２ｂにそれぞれ形成されているくの字状に内側に突出している係合突条１２ｃが、シャーシ１０の４方向の側部１０ｂの下部に形成されている外側に突出された突条１０ｄを乗り越えてそれぞれ係合するようになる。また、第１下仕切り板１７の下端縁から突出するよう形成されている３つの取付片１０ｄと第２下仕切り板１８の下端縁から突出するよう形成されている２つの取付片１０ｄとが、下外蓋１２の平面部１２ａに形成されている細長い矩形状の孔部から外部へ突出するようになる。この突出した５つの取付片１０ｄを縦の中心軸を回転軸として捻ることにより、下外蓋１２がシャーシ１０から抜け出ないように固着され、固着されると下外蓋１２はシャーシ１０にアースされる。
【００２７】
このように、シャーシ１０の上面を覆う上外蓋１１とシャーシ１０の下面を覆う下外蓋１２とをシャーシ１０に固着することにより、第１実施例の電子機器ケース１はシールド構造となる。シャーシ１０の上面を覆う上外蓋１１とシャーシ１０の下面を覆う下外蓋１２とをシャーシ１０に固着された状態を断面図で示す側面図の一部拡大図で図９に示している。図９に示すように、シャーシ１０に嵌合された上外蓋１１の平面部１１ａの内面が上内蓋１３のストッパー１３ｃに密着して下方へ押すことから上内蓋１３の浮き上がりが押さえ込まれていることが分かる。そして、上内蓋１３が上外蓋１１により上から押さえ込まれて挿入されていくと、上内蓋１３の側部１３ｂが第１上仕切り板１５の２方向の内壁およびシャーシ１０の２方向の内壁に強く密着して内壁面にほぼ平行になることから、平面部１３ａに対して鈍角とされた弾性を有する側部１３ｂの作用により平面部１３ａの中央部が図示するように下方へ弓なりに撓むようになる。また、同様に下外蓋１２の平面部１２ａの内面が下内蓋１４のストッパー１４ｃに密着して上方へ押すことからシャーシ１０に嵌合された下外蓋１２により下内蓋１４の浮き上がりが押さえ込まれていることが分かる。そして、下内蓋１４が下外蓋１２により下から押さえ込まれて挿入されていくと、下内蓋１４の側部１４ｂが第１下仕切り板１７の２方向の内壁およびシャーシ１０の２方向の内壁に強く密着して内壁面にほぼ平行になることから、平面部１４ａに対して鈍角とされた弾性を有する側部１４ｂの作用により平面部１４ａの中央部が図示するように下方へ弓なりに撓むようになる。
【００２８】
この第１実施例の電子機器ケース１では、上外蓋１１および下外蓋１２により上内蓋１３および下内蓋１４の浮き上がりを防止でき、上内蓋１３および下内蓋１４を安定して嵌合させた状態とすることができる。この状態の電子機器ケースが、図１ないし図４に示す本発明の第１実施例の電子機器ケース１であり、第１実施例の電子機器ケース１の漏洩電波電界強度の周波数特性を図１０に示す。図１０に示す漏洩電界強度の周波数特性は、１０００ＭＨｚ〜３２５０ＭＨｚの周波数帯域の信号を伝送した時の電波の漏れを測定したものであり、規定値（３４ｄＢμＶ／ｍ）が一点鎖線で示され、水平偏波における電界強度が実線で、垂直偏波における電界強度が一点鎖線で示されている。図１０を参照すると、第１実施例の電子機器ケース１における不要放射量は、１０００ＭＨｚ〜３２５０ＭＨｚの周波数帯域において規格値である３４ｄＢμ／ｍ以下の電波漏洩量に抑えられていることが分かる。従来の電子機器ケース３００における図２６に示す漏洩電界強度の周波数特性と比較すると、第１実施例の電子機器ケース１における漏洩電波電界強度の周波数特性では、３０００ＭＨｚ〜３２５０ＭＨｚの周波数帯域において不要放射量が約１０ｄＢ〜約１５ｄＢ程度低減されていることが分かる。
【００２９】
ここで、第１実施例の電子機器ケース１において、寸法の誤差や組み立て上のばらつきでシャーシ１０と第１上仕切り板１５とにおいて高さの違いが生じ、上内蓋１３を挿入した際に上内蓋１３が少し傾斜して取り付けられる場合がある。また、寸法の誤差や組み立て上のばらつきでシャーシ１０と第１下仕切り板１７とにおいて高さの違いが生じ、下内蓋１４を挿入した際に下内蓋１４が少し傾斜して取り付けられる場合がある。この場合であっても、挿入された上内蓋１３の側部１３ｂはシャーシ１０の側部１０ｂの内壁面と、第１上仕切り板１５の内壁面に確実に接触しており、挿入された下内蓋１４の側部１４ｂはシャーシ１０の側部１０ｂの内壁面と、第１下仕切り板１７の内壁面に確実に接触するようになる。この結果、シャーシ１０と第１上仕切り板１５あるいは第１下仕切り板１７とにおいて高さの違いが生じても、隙間は生じないようになり、電波の漏洩を防ぐことができる。
【００３０】
ここで、第１上仕切り板１５が少し浮いた状態で上内蓋１３を挿入した時あるいは第１下仕切り板１７が少し浮いた状態で下内蓋１４を挿入し、シャーシ１０の上面を覆う上外蓋１１とシャーシ１０の下面を覆う下外蓋１２とをシャーシ１０に固着した時の漏洩電波電界強度の周波数特性を図１１に示す。図１１に示す漏洩電界強度の周波数特性は、１０００ＭＨｚ〜３２５０ＭＨｚの周波数帯域の信号を伝送した時の電波の漏れを測定したものであり、規定値（３４ｄＢμＶ／ｍ）が一点鎖線で示され、水平偏波における電界強度が実線で、垂直偏波における電界強度が一点鎖線で示されている。図１１を参照すると、第１上仕切り板１５あるいは第１下仕切り板１７が少し浮いた状態で上内蓋１３あるいは下内蓋１４を挿入した時の不要放射量は、約３２００ＭＨｚ以上において不要放射量がやや増加しているものの１０００ＭＨｚ〜３２５０ＭＨｚの周波数帯域において規格値である３４ｄＢμ／ｍ以下の電波漏洩量に抑えられていることが分かる。また、従来の電子機器ケース３００における図２７に示す寸法のばらつきや組み立て時のばらつきがある場合の漏洩電界強度の周波数特性と比較すると、第１実施例の電子機器ケース１における漏洩電波電界強度の周波数特性では、３０００ＭＨｚ〜３２５０ＭＨｚの周波数帯域において不要放射量が約１０ｄＢ〜約２６ｄＢ程度低減されていることが分かる。
【００３１】
次に、本発明の第２実施例の電子機器ケース２の構成を図１２ないし図１４に示す。図１２は本発明の第２実施例にかかる電子機器ケース２の構成を示す平面図であり、図１３は電子機器ケース２の構成をＢ−Ｂ線で切断した断面図で示す側面図であり、図１４は電子機器ケース２の構成を斜視図で示す分解図である。
これらの図に示す本発明の第２実施例にかかる電子機器ケース２はブースターに適用可能な電子機器ケース２であり、本発明の第１実施例にかかる電子機器ケース１においてアッテネーター回路の減衰量を切り替えるスイッチ３２が追加されており、このスイッチ３２の金属製の外郭の内部に切換部が内蔵され、外郭から外部へ突出しているノブを操作することにより減衰量を切り替えるようにしている。第２実施例の電子機器ケース２では、スイッチ３２の金属製の外郭をアースすることを特徴的な構成としている。他の構成は第１実施例の電子機器ケース１の構成とほぼ同様とされていることから、同様の構成についての詳細な説明は省略する。第２実施例の電子機器ケース２は、上面および下面が開口された所定高さの矩形の枠からなるシャーシ１０と、シャーシ１０の上面を閉塞するよう上部に嵌合される上外蓋１１１と、シャーシ１０の下面を閉塞するように下部に嵌合される下外蓋１２とを備えている。さらに、電子機器ケース１内を回路ブロック毎に仕切るよう設けられている第１上仕切り板１５の開口されている上面を閉塞するよう上部に嵌合される上内蓋１１３と、同様にシャーシ１０内を回路ブロック毎に仕切るよう設けられている第１下仕切り板１７の開口されている下面を閉塞するよう嵌合される下内蓋１４とを備えている。第２実施例にかかる電子機器ケース２を構成している各部は、金属板を加工して作成されている。
【００３２】
第２実施例の電子機器ケース２では、スイッチ３２は外郭は金属製とされており、プリント基板１２１上に設けられていることから、スイッチ３２のノブを操作するには、上内蓋１１３の平面部１１３ａおよび上外蓋１１１の平面部１１１ａにスイッチ３２のノブを操作するための孔部を形成する必要がある。このため、上内蓋１１３の平面部１１３ａおよび上外蓋１１１の平面部１１１ａに矩形状の孔部が形成されており、この孔部から外部へスイッチ３２のノブが突出するようになり、孔部はノブをユーザが操作できる大きさとされている。この上内蓋１１３の構成を図１５に示す。図１５に示すように、上内蓋１１３は弾性を有する金属材料を加工して作成されており、矩形状の平面部１１３ａと、平面部１１３ａの４つの縁から立設するよう平面部１１３ａに対して鈍角で折曲されて形成された４つの側部１３ｂとから構成された箱形状とされている。また、側部１３ｂの上端は、側部１３ｂに対してほぼ直角に外側に折曲された幅の狭いストッパー１３ｃが形成されている。平面部１１３ａにはスイッチ３２の配置位置に相当する位置に矩形状の切欠部１１３ｄが形成されており、切欠部１１３ｄの４隅から斜めに所定長さの切込１１３ｅがそれぞれ形成されている。
【００３３】
第２実施例の電子機器ケース２において、第１実施例の電子機器ケース１と同様にしてシャーシ１０と第１上仕切り板１５からなる収納空間に上内蓋１１３を挿入し、シャーシ１０と第１下仕切り板１７からなる収納空間に下内蓋１４を挿入し、次いで、シャーシ１０の上面を覆う上外蓋１１１とシャーシ１０の下面を覆う下外蓋１２とをシャーシ１０に固着することにより、第２実施例の電子機器ケース２はシールド構造となる。そして、上内蓋１１３が上外蓋１１１により上から押さえ込まれて挿入されていくと、上内蓋１１３の側部１３ｂが第１上仕切り板１５の２方向の内壁面およびシャーシ１０の２方向の内壁面に強く密着して内壁にほぼ平行になることから、平面部１１３ａに対して鈍角とされた弾性を有する側部１３ｂの作用により平面部１１３ａの中央部が図９に示すように下方へ弓なりに撓むようになる。これにより、下方へ弓なりに撓んだ平面部１１３ａの下面がスイッチ３２の金属製の外郭に確実に接触するようになり、スイッチ３２の外郭はアースされるようになる。この場合、切欠部１１３ｄの４隅から斜めに所定長さの切込１１３ｅがそれぞれ形成されていることから、スイッチ３２の全方位に均一に平面部１１３ａの下面が密着するようになる。
【００３４】
スイッチ３２の金属製の外郭をアースする理由は次の通りである。図１６はスイッチ３２の金属製の外郭をアースしない場合のプリント基板１２１に組まれたブースターにおける利得の周波数特性を示している。この場合、入力端子に入力される測定信号は１０ＭＨｚ〜４ＧＨｚとされ入力レベルは−３５ｄＢｍとされている。図１６を参照すると、約２８００ＭＨｚ〜約３２２４ＭＨｚの周波数帯域において波打つような現象が出ていて利得の周波数特性が安定していないことが分かる。これは、スイッチ３２の金属製の外郭に電波が誘起して再放射されることから、高域の利得の周波数特性が乱れたものと考えられる。
本発明の第２実施例の電子機器ケース２においてプリント基板１２１に組まれたブースターにおける利得の周波数特性を図１７に示している。第２実施例の電子機器ケース２においては、上記したようにスイッチ３２の金属製の外郭は上内蓋１１３によりアースされている。この場合、入力端子に入力される測定信号は１０ＭＨｚ〜４ＧＨｚとされ入力レベルは−３５ｄＢｍとされている。図１７を参照すると、約２８００ＭＨｚ〜約３２２４ＭＨｚの周波数帯域においても利得の周波数特性が安定していることが分かる。これは、スイッチ３２の金属製の外郭に誘起された電波がアースされて再放射されないからである。
【００３５】
図１８は、第２実施例の電子機器ケース２において、上外蓋１１１および下外蓋１２を外した状態の構成を示す平面図であり、図１９は、第２実施例の電子機器ケース２の構成をＣ−Ｃ線で切断したＣ−Ｃ断面図で示す側面図およびその一部拡大図である。
図１８および図１９には、第２実施例の電子機器ケース２において、寸法の誤差や組み立て上のばらつきでシャーシ１０と第１上仕切り板１５とにおいて高さの違いが生じ、上内蓋１１３を挿入した際に上内蓋１１３が少し傾斜して取り付けられた状態を示している。上内蓋１１３が少し傾斜して取り付けられると、図１９の一部拡大図で示すように、シャーシ１０の側部１０ｂの上端面と、挿入された上内蓋１１３のストッパー１３ｃとの間に間隙が発生するようになるが、上内蓋１１３の４方向の弾性を有する側部１３ｂは鈍角に立ち上がっているため、挿入された上内蓋１１３の側部１３ｂはシャーシ１０の側部１０ｂの内壁面に確実に密着して接触していることが分かる。また、第１上仕切り板１５の上端と挿入された上内蓋１１３のストッパー１３ｃとの間には間隙が発生しておらず、挿入された上内蓋１１３の側部１３ｂは第１上仕切り板１５の内壁面に確実に密着して接触している。この結果、シャーシ１０と第１上仕切り板１５とにおいて高さの違いが生じても、シャーシ１０および第１上仕切り板１５と上内蓋１１３との間に隙間は生じないようになり、電波の漏洩を防ぐことができる。
また、第２実施例の電子機器ケース２において、寸法の誤差や組み立て上のばらつきでシャーシ１０と第１下仕切り板１７とにおいて高さの違いが生じ、下内蓋１４を挿入した際に下内蓋１４が少し傾斜して取り付けられる場合がある。この場合であっても、下内蓋１４の４方向の弾性を有する側部１４ｂは鈍角に立ち上がっているため、挿入された下内蓋１４の側部１４ｂはシャーシ１０の側部１０ｂの内壁面と、第１下仕切り板１７の内壁面に確実に接触するようになる。この結果、シャーシ１０と第１下仕切り板１７とにおいて高さの違いが生じても、隙間は生じないようになり、電波の漏洩を防ぐことができる。
【００３６】
第１上仕切り板１５が少し浮いた状態で上内蓋１１３を挿入した時あるいは第１下仕切り板１７が少し浮いた状態で下内蓋１４を挿入し、シャーシ１０の上面を覆う上外蓋１１１とシャーシ１０の下面を覆う下外蓋１２とをシャーシ１０に固着した時の漏洩電波電界強度の周波数特性は、図１１に示す第１実施例の電子機器ケース１の漏洩電波電界強度の周波数特性と同様となる。すなわち、第１上仕切り板１５あるいは第１下仕切り板１７が少し浮いた状態で上内蓋１１３あるいは下内蓋１４を挿入した時の不要放射量は、約３２００ＭＨｚ以上において不要放射量がやや増加するものの１０００ＭＨｚ〜３２５０ＭＨｚの周波数帯域において規格値である３４ｄＢμ／ｍ以下の電波漏洩量に抑えられる。また、従来の電子機器ケース３００における図２７に示す寸法のばらつきや組み立て時のばらつきがある場合の漏洩電界強度の周波数特性と比較すると、第１実施例の電子機器ケース１における漏洩電波電界強度の周波数特性では、３０００ＭＨｚ〜３２５０ＭＨｚの周波数帯域において不要放射量が約１０〜約２６ｄＢ程度低減される。
【産業上の利用可能性】
【００３７】
以上説明した本発明の各実施例の電子機器ケースでは、１０００ＭＨｚ〜３２５０ＭＨｚの周波数帯域に高帯域化されても不要放射量を規定値の３４ｄＢμＶ／ｍ以下に抑えることができる。また、本発明の各実施例の電子機器ケースでは、寸法の誤差や組み立て上のばらつきでシャーシと仕切り板とにおいて高さの違いが生じていると、内蓋を挿入した際に内蓋は少し傾斜して取り付けられることになるが、内蓋の４方向の側部は鈍角に立ち上がっており、内蓋は弾性を有していることからシャーシおよび仕切り板の内壁面に必ず密着するようになる。これにより、シャーシと仕切り板とにおいて高さの違いが生じても、隙間は生じないようになり、本発明にかかる電子機器ケースからの電波の漏洩を防ぐことができ、周囲の無線サービスへの影響を少なくすることができる。
さらに、シャーシ内に内蔵される部品をアースさせることにより、周波数帯域が高帯域化されても電子機器ケースに収納された回路において安定した周波数特性を確保することができるようになる。
以上説明した本発明の各実施例の電子機器ケースにおける上内蓋および下内蓋は弾性を有する薄板から作成されており、薄板はニッケルメッキを施したリン青銅、洋白などの金属材料を用いることができる。また、シャーシは半田付けができる金属材料から作成されており、スズメッキ鋼板（ブリキ）やニッケルメッキを施した冷間圧延鋼板や表面処理鋼板を用いることができる。
以上説明した本発明にかかる各実施例の電子機器ケースは、テレビやチューナ等に信号を供給する壁面端子、直列ユニット、分配器、分岐器などの電子機器の電子機器ケースとして使用することができると共に、受信信号を増幅するブースタや、コンバータ、ミキサーなどの回路を収納する電子機器ケースに適用することができる。また、電子機器ケースの形状や構成は一例であって、図示する形状および構成に限られるものではない。
本発明にかかる電子機器ケースは、導電製のシャーシ内を回路ブロック毎に仕切る導電製の仕切り板とシャーシの内壁面とで形成される収納空間の開口を閉塞する導電製の内蓋を備え、内蓋は平面部から鈍角で立設する弾性を有する側部を有し、さらに、シャーシの開口する前面を閉塞する導電製の外蓋とを備えることから、使用する周波数帯域が高域へ拡張されても電磁波の外部への漏洩を防止することができる電子機器ケースとすることができる。
【符号の説明】
【００３８】
１  電子機器ケース、２  電子機器ケース、１０  シャーシ、１０ｂ  側部、１０ｃ  突条、１０ｄ  取付片、１０ｄ  突条、１１  上外蓋、１１ａ  平面部、１１ｂ  側部、１１ｃ  係合突条、１２  下外蓋、１２ａ  平面部、１２ｂ  側部、１２ｃ  係合突条、１３  上内蓋、１３ａ  平面部、１３ｂ  側部、１３ｃ  ストッパー、１４  下内蓋、１４ａ  平面部、１４ｂ  側部、１４ｃ  ストッパー、１５  第１上仕切り板、１５ａ  ラグ、１６  第２上仕切り板、１６ａ  ラグ、１７  第１下仕切り板、１８  第２下仕切り板、２０  同軸端子、２１  プリント基板、３０  取付ネジ、３１  取付ネジ、３２  スイッチ、１１１  上外蓋、１１１ａ  平面部、１１３  上内蓋、１１３ａ  平面部、１１３ｄ  切欠部、１１３ｅ  切込、１２１  プリント基板、２１０  放送局、２１１  放送衛星、２１２  パラボラアンテナ、２１３  ブースター、２１４  分配器、２１５  壁面端子、２１６  チューナー、２１７  モニター、３００  電子機器ケース、３１０  シャーシ、３１０ｂ  側部、３１０ｃ  係合孔、３１０ｄ  係合孔、３１１  上外蓋、３１１ａ  平面部、３１１ｂ  側部、３１１ｃ  係合片、３１２  下外蓋、３１２ａ  平面部、３１２ｂ  側部、３１２ｃ  係合片、３１５  仕切り板、３２０  同軸端子、３２１  プリント基板
【図１】
2018107163.tif 000003
【図２】
2018107163.tif 000004
【図３】
2018107163.tif 000005
【図４】
2018107163.tif 000006
【図５】
2018107163.tif 000007
【図６】
2018107163.tif 000008
【図７】
2018107163.tif 000009
【図８】
2018107163.tif 000010
【図９】
2018107163.tif 000011
【図１０】
2018107163.tif 000012
【図１１】
2018107163.tif 000013
【図１２】
2018107163.tif 000014
【図１３】
2018107163.tif 000015
【図１４】
2018107163.tif 000016
【図１５】
2018107163.tif 000017
【図１６】
2018107163.tif 000018
【図１７】
2018107163.tif 000019
【図１８】
2018107163.tif 000020
【図１９】
2018107163.tif 000021
【図２０】
2018107163.tif 000022
【図２１】
2018107163.tif 000023
【図２２】
2018107163.tif 000024
【図２３】
2018107163.tif 000025
【図２４】
2018107163.tif 000026
【図２５】
2018107163.tif 000027
【図２６】
2018107163.tif 000028
【図２７】
2018107163.tif 000029